(57)【要約】【課題】複数のＬＥＤ基板に供給する電流量をそれぞれ調整可能であり、また、照明装置と電力供給ユニットとを接続するケーブルのコストを低減することができると共に、各ＬＥＤを積極的に点灯および消灯する際の応答速度を向上することができる定電流制御型照明装置を提供する。【解決手段】この定電流制御型照明装置は、各ＬＥＤ基板１０に電気的に接続された高電位側電力供給配線および低電位側電力供給配線と、照明装置本体２内に各ＬＥＤ基板１０に対応するように設けられ、対応するＬＥＤ基板１０に高電位側電力供給配線から駆動電流を流す複数のトランジスタ１２と、各トランジスタに対応する電流検知抵抗１３と、各々が２以上のＬＥＤ基板１０に対応する１つ又は複数の調光基板２０とを備え、各調光基板２０にはオペアンプ機能を有するオペアンプ回路２１が実装されている。【選択図】図１
2018045824.tif 000002
【特許請求の範囲】
【請求項１】
照明装置本体と、
該照明装置本体に設けられた複数のＬＥＤ基板とを備え、
該複数のＬＥＤ基板からの光によって所定の照明位置を照明する定電流制御型照明装置であって、
各ＬＥＤ基板には、複数のＬＥＤが実装され、該複数のＬＥＤの少なくとも一部を直列に接続して成る少なくとも１つのＬＥＤ直列回路が形成されており、
この照明装置は、
前記ＬＥＤ直列回路の一端側および他端側に各々電気的に接続された高電位側電力供給配線および低電位側電力供給配線と、
前記複数のＬＥＤ直列回路に各々対応するように前記ＬＥＤ基板に実装され、対応する前記ＬＥＤ直列回路に前記高電位側電力供給配線からの駆動電流を流す複数のトランジスタと、
前記複数のトランジスタに各々対応するように前記ＬＥＤ基板に実装された複数の電流検知抵抗と、
前記照明装置本体に設けられた１つ又は複数の調光基板であって、各々が前記複数のＬＥＤ直列回路のうち２つ以上に対応するように設けられている、１つ又は複数の調光基板と
を備え、
前記各調光基板には、前記対応する２以上のＬＥＤ直列回路の各々の前記電流検知抵抗における高電位側の電位又は前記電流検知抵抗に流れる電流量に基づき、該電流検知抵抗に対応する前記トランジスタに、前記流す電流量を調整するための定電流制御信号を供給する定電流制御信号供給部が実装されている
定電流制御型照明装置。
【請求項２】
照明装置本体と、
該照明装置本体に設けられた複数のＬＥＤ基板とを備え、
該複数のＬＥＤ基板からの光によって所定の照明位置を照明する定電流制御型照明装置であって、
各ＬＥＤ基板には、複数のＬＥＤが実装され、該複数のＬＥＤの少なくとも一部を直列に接続して成る少なくとも１つのＬＥＤ直列回路が形成されており、
この照明装置は、
前記ＬＥＤ直列回路の一端側および他端側に各々電気的に接続された高電位側電力供給配線および低電位側電力供給配線と、
前記照明装置本体に前記複数のＬＥＤ直列回路に各々対応するように設けられ、対応する前記ＬＥＤ直列回路に前記高電位側電力供給配線からの駆動電流を流す複数のトランジスタと、
前記照明装置本体に前記複数のトランジスタに各々対応するように設けられた複数の電流検知抵抗と、
前記照明装置本体に設けられた１つ又は複数の調光基板であって、各々が前記複数のＬＥＤ直列回路のうち２つ以上に対応するように設けられている、１つ又は複数の調光基板と
を備え、
前記各調光基板には、前記対応する２以上のＬＥＤ直列回路の各々の前記電流検知抵抗における高電位側の電位又は前記電流検知抵抗に流れる電流量に基づき、該電流検知抵抗に対応する前記トランジスタに、前記流す電流量を調整するための定電流制御信号を供給する定電流制御信号供給部が実装されていると共に、前記トランジスタおよび前記電流検知抵抗は実装されていない
定電流制御型照明装置。
【請求項３】
照明装置本体と、
該照明装置本体に設けられた複数のＬＥＤ基板とを備え、
該複数のＬＥＤ基板からの光によって所定の照明位置を照明する定電流制御型照明装置であって、
各ＬＥＤ基板には、複数のＬＥＤが実装され、該複数のＬＥＤの少なくとも一部を直列に接続して成る少なくとも１つのＬＥＤ直列回路が形成されており、
この照明装置は、
前記ＬＥＤ直列回路の一端側および他端側に各々電気的に接続された高電位側電力供給配線および低電位側電力供給配線と、
前記複数のＬＥＤ直列回路に各々対応するように前記ＬＥＤ基板に実装され、対応する前記ＬＥＤ直列回路に前記高電位側電力供給配線からの駆動電流を流す複数のトランジスタと、
前記複数のトランジスタに各々対応するように前記ＬＥＤ基板に実装された複数の電流検知抵抗と、
前記各電流検知抵抗における高電位側の電位又は前記各電流検知抵抗に流れる電流量に基づき、前記各電流検知抵抗に対応する前記各トランジスタに、前記流す電流量を調整するための定電流制御信号を供給する定電流制御信号供給部と
を備え、
前記所定の照明位置は前記各ＬＥＤ基板の厚さ方向一方の面が臨む方向に位置し、前記複数のトランジスタは前記各ＬＥＤ基板の厚さ方向他方の面が臨む方向に位置している
定電流制御型照明装置。
【請求項４】
前記複数のＬＥＤ基板には各々高電位側電力供給部が設けられ、
隣り合う２つの前記ＬＥＤ基板の前記高電位側電力供給部同士が接続されている
請求項１から請求項３の何れかに記載の定電流制御型照明装置。
【請求項５】
前記照明装置本体に設けられ、前記複数のＬＥＤ基板を冷却するヒートシンクをさらに備え、
前記各トランジスタはその冷却のために前記ヒートシンクに接触している
請求項１から請求項４の何れかに記載の定電流制御型照明装置。
【発明の詳細な説明】
【技術分野】
【０００１】
本発明は、並設された複数のＬＥＤにより所定の照明位置を照明する定電流制御型照明装置に関する。
【背景技術】
【０００２】
所定方向に直線状に並べられた複数のＬＥＤを有する照明装置として、例えば鋼鈑、板ガラス、食品、紙幣等を製造する各種製造工程の製造品検査においてラインセンサカメラ等のセンサの検出位置をセンサの画角に合わせてライン状に照明するライン状照明装置が知られている（例えば、特許文献１参照。）。この種の照明装置は、検査の高速化や精度向上のため、センサの検出位置（照明位置）をライン状照明装置によってできるだけ明るく均一に照明する必要がある。
【先行技術文献】
【特許文献】
【０００３】
【特許文献１】特開２００７−２２５５９１号公報
【発明の概要】
【発明が解決しようとする課題】
【０００４】
上記照明装置は長さが１ｍ以上になるものも多く、長いものでは５ｍを超える。一方、均一な照明のために複数のＬＥＤが数ｍｍピッチで配置される場合が多い。このため、１つの照明装置内に数百個のＬＥＤが並べられていることになる。数百個のＬＥＤを１つ基板上に直線状に並ぶように実装して上記照明装置を製造すると、当該基板に異常が生じた場合に、数百個のＬＥＤが実装された長い基板の修理や交換を行う必要が生じ、効率が悪い。このため、複数のＬＥＤ基板にそれぞれ１０個程度のＬＥＤを前記並設方向に直線状に並べて実装すると共に、複数のＬＥＤ基板を前記並設方向に並べ、各ＬＥＤ基板に駆動電力を供給する構成が採用されている。
【０００５】
ここで、複数のＬＥＤが直線状に並べられているので、各ＬＥＤが全く同一の光量で発光した場合でも、並設された複数のＬＥＤの一端と他端の真下の照明位置が、並設された複数のＬＥＤの中央の真下の照明位置よりも暗くなる。
また、複数のＬＥＤは互いに完全に均一な光量で発光する訳ではなく、製造要因等により発光量にばらつきが生ずる。例えば、数百個のＬＥＤを用いる場合、各ＬＥＤの所定の電流量に対する発光量のばらつきは１０％を超える場合もある。
【０００６】
このような状況で照明位置の光量を均一にするために、各ＬＥＤ基板に供給する駆動電力を調整する調整が行われている。この調整を行う上で、各ＬＥＤ基板に加える電圧を一定とし、当該電圧を各ＬＥＤ基板にパルスワイズモジュレーション（ＰＷＭ）制御で間欠に印加し、これにより各ＬＥＤ基板の所定時間あたりの発光量を調整する方法がある（定電圧制御）。当該制御は、電圧がＯＦＦになる時間とＯＮになる時間との比率（デューティ比）を制御するだけで良いので、制御が簡単であり、従来からよく用いられている。
【０００７】
ここで、電力供給ユニットは各種ＩＣやマイクロコンピュータ等の熱に弱い部品を有するので、照明装置は各種製造工程に配置され、電力供給ユニットはクリーンルーム等の温度が一定でホコリ等も少ない場所に配置され、照明装置と電力供給ユニットとがケーブルで接続されることがよくある。例えば、鋼板の製造工程に照明装置が配置される場合、電力供給ユニットは鋼板からの輻射熱を受けることがない。前記定電圧制御では、各ＬＥＤ基板に同じ電圧が加わるようになっていればよいので、各ＬＥＤ基板を電力供給ユニットに並列に接続することができる。つまり、電力供給ユニットと照明装置とを接続するケーブルの中に１本の高電位側電力供給線と１本の低電位側電力供給線があればよい。
【０００８】
しかし、ＰＷＭ制御では電圧がＯＦＦの時に極めて短時間であるが照明位置が暗くなる。近年では、ラインセンサカメラ等のセンサの検出速度が向上し、また、検査精度の要求も上がってきているので、ＰＷＭ制御により照明位置が暗くなることが好まれない場合が出てきている。
【０００９】
これに対し、各ＬＥＤ基板に流す電流量をそれぞれ制御する定電流制御も存在する。当該定電流制御は、例えば図１２に示すように、複数のＬＥＤ直列回路１０１にそれぞれケーブル１１０の高電位側電力供給線１１１と低電位側電力供給線１１２を接続する必要がある。このような定電流制御では、定電流回路２１０を用いて、各ＬＥＤ直列回路１００の光量を各ＬＥＤをＯＦＦにする時間を作ることなく制御できるが、照明装置１００と電力供給ユニット２００とを接続するケーブル１１０内にＬＥＤ直列回路１０１の数だけ高電位側電力供給線１１１と低電位側電力供給線１１２を設ける必要があり、ケーブル１１０が高価になっていた。例えば、鋼板の製造工程に照明装置を配置する場合は、ケーブル１１０が数十ｍ、時には１００ｍ程度となるが、この場合のケーブル１１０のコストは数十万円となっていた。
【００１０】
さらに、ケーブル１１０が長くなると、ケーブル１１０のインダクタンス等により、各ＬＥＤの点灯および消灯を積極的に切換える場合に、その点灯までの時間や消灯までの時間に数ｍ秒や十数ｍ秒であるが遅れが生じていた。これも、従来の検査工程では特に改善が必要であるとは感じられていなかったと思われるが、今後はこのような点も検査の高速化、高精度化等に対応するために必要になる可能性がある。
【００１１】
本発明は、このような事情に鑑みてなされたものであって、複数のＬＥＤ基板に供給する電流量をそれぞれ調整可能であり、また、照明装置と電力供給ユニットとを接続するケーブルのコストを低減することができると共に、各ＬＥＤを積極的に点灯および消灯する際の応答速度を向上することができる定電流制御型照明装置を提供することを目的とする。
【課題を解決するための手段】
【００１２】
上記課題を解決するために、本発明の第１の態様に係る定電流制御型照明装置は、照明装置本体と、該照明装置本体に設けられた複数のＬＥＤ基板とを備え、該複数のＬＥＤ基板からの光によって所定の照明位置を照明する定電流制御型照明装置であって、各ＬＥＤ基板には、複数のＬＥＤが実装され、該複数のＬＥＤの少なくとも一部を直列に接続して成る少なくとも１つのＬＥＤ直列回路が形成されており、この照明装置は、前記ＬＥＤ直列回路の一端側および他端側に各々電気的に接続された高電位側電力供給配線および低電位側電力供給配線と、前記複数のＬＥＤ直列回路に各々対応するように前記ＬＥＤ基板に実装され、対応する前記ＬＥＤ直列回路に前記高電位側電力供給配線からの駆動電流を流す複数のトランジスタと、前記複数のトランジスタに各々対応するように前記ＬＥＤ基板に実装された複数の電流検知抵抗と、前記照明装置本体に設けられた１つ又は複数の調光基板であって、各々が前記複数のＬＥＤ直列回路のうち２つ以上に対応するように設けられている、１つ又は複数の調光基板とを備え、前記各調光基板には、前記対応する２以上のＬＥＤ直列回路の各々の前記電流検知抵抗における高電位側の電位又は前記電流検知抵抗に流れる電流量に基づき、該電流検知抵抗に対応する前記トランジスタに、前記流す電流量を調整するための定電流制御信号を供給する定電流制御信号供給部が実装されている。
【００１３】
上記課題を解決するために、本発明の第２の態様に係る定電流制御型照明装置は、照明装置本体と、該照明装置本体に設けられた複数のＬＥＤ基板とを備え、該複数のＬＥＤ基板からの光によって所定の照明位置を照明する定電流制御型照明装置であって、各ＬＥＤ基板には、複数のＬＥＤが実装され、該複数のＬＥＤの少なくとも一部を直列に接続して成る少なくとも１つのＬＥＤ直列回路が形成されており、この照明装置は、前記ＬＥＤ直列回路の一端側および他端側に各々電気的に接続された高電位側電力供給配線および低電位側電力供給配線と、前記照明装置本体内に前記複数のＬＥＤ直列回路に各々対応するように設けられ、対応する前記ＬＥＤ直列回路に前記高電位側電力供給配線からの駆動電流を流す複数のトランジスタと、前記照明装置本体に前記複数のトランジスタに各々対応するように設けられた複数の電流検知抵抗と、前記照明装置本体に設けられた１つ又は複数の調光基板であって、各々が前記複数のＬＥＤ直列回路のうち２つ以上に対応するように設けられている、１つ又は複数の調光基板とを備え、前記各調光基板には、前記対応する２以上のＬＥＤ直列回路の各々の前記電流検知抵抗における高電位側の電位又は前記電流検知抵抗に流れる電流量に基づき、該電流検知抵抗に対応する前記トランジスタに、前記流す電流量を調整するための定電流制御信号を供給する定電流制御信号供給部が実装されていると共に、前記トランジスタおよび前記電流検知抵抗は実装されていない。
【００１４】
本発明の第３の態様に係る定電流制御型照明装置は、照明装置本体と、該照明装置本体に設けられた複数のＬＥＤ基板とを備え、該複数のＬＥＤ基板からの光によって所定の照明位置を照明する定電流制御型照明装置であって、各ＬＥＤ基板には、複数のＬＥＤが実装され、該複数のＬＥＤの少なくとも一部を直列に接続して成る少なくとも１つのＬＥＤ直列回路が形成されており、この照明装置は、前記ＬＥＤ直列回路の一端側および他端側に各々電気的に接続された高電位側電力供給配線および低電位側電力供給配線と、前記複数のＬＥＤ直列回路に各々対応するように前記ＬＥＤ基板に実装され、対応する前記ＬＥＤ直列回路に前記高電位側電力供給配線からの駆動電流を流す複数のトランジスタと、前記複数のトランジスタに各々対応するように前記ＬＥＤ基板に実装された複数の電流検知抵抗と、前記各電流検知抵抗における高電位側の電位又は前記各電流検知抵抗に流れる電流量に基づき、前記各電流検知抵抗に対応する前記各トランジスタに、前記流す電流量を調整するための定電流制御信号を供給する定電流制御信号供給部とを備え、前記所定の照明位置は前記各ＬＥＤ基板の厚さ方向一方の面が臨む方向に位置し、前記複数のトランジスタは前記各ＬＥＤ基板の厚さ方向他方の面が臨む方向に位置している。
【００１５】
上記第１から第３の態様では、各ＬＥＤ基板のＬＥＤ直列回路に流す駆動電流の量がトランジスタに供給される定電流制御信号により調整される。また、照明装置本体に、各ＬＥＤ直列回路にそれぞれ対応するように、ＬＥＤ直列回路に電流を流すための複数のトランジスタが設けられているので、例えば照明装置と電力供給ユニットとを１本の高電位側電力供給線と低電位側電力供給線で接続したとしても、各ＬＥＤ基板のＬＥＤ直列回路に流す駆動電流の量を各トランジスタにより調整することができる。
また、ＬＥＤ直列回路に駆動電流を流すトランジスタが照明装置本体に配置されており、ＬＥＤ直列回路とトランジスタとを接続する配線を短くすることができるので、各ＬＥＤを積極的に点灯および消灯する際の応答速度を向上することができる。
【発明の効果】
【００１６】
本発明によれば、複数のＬＥＤ基板に供給する電流量をそれぞれ調整可能であり、また、照明装置と電力供給ユニットとを接続するケーブルのコストを低減することができると共に、各ＬＥＤを積極的に点灯および消灯する際の応答速度を向上することができる。
【図面の簡単な説明】
【００１７】
【図１】本発明の第１実施形態に係るＬＥＤ照明システムの概略構成図である。
【図２】第１実施形態のＬＥＤ照明システムに用いる照明装置の概略構成図である。
【図３】第１実施形態の照明装置の断面図である。
【図４】第１実施形態の第１変形例を示す照明装置の断面図である。
【図５】本発明の第２実施形態に係るＬＥＤ照明システムの照明装置の要部平面図である。
【図６】第２実施形態のＬＥＤ照明システムの概略構成図である。
【図７】第２実施形態の第１変形例を示すＬＥＤ基板の平面図である。
【図８】第１実施形態の第２変形例を示すＬＥＤ照明システムの概略構成図である。
【図９】第２実施形態の第２変形例を示す照明装置の平面図である。
【図１０】第２実施形態の第２変形例を示す照明装置の縦断面図である。
【図１１】第２実施形態の第３変形例を示す照明装置の一部断面側面図である。
【図１２】従来のＬＥＤ照明システムの概略構成図である。
【発明を実施するための形態】
【００１８】
本発明の第１実施形態に係るＬＥＤ照明システムについて図面を参照して以下に説明する。
このＬＥＤ照明システムは、ラインセンサ等の検査用センサによる検出位置をライン状（線状）に照明するものであり、図１に示すように、照明装置１と、電力供給ユニット４０と、照明装置１と電力供給ユニット４０とを接続して電力供給ユニット４０から照明装置１に電力を供給する接続コード３とを有する。接続コード３は照明装置１に駆動電力を供給する。
【００１９】
照明装置１は、図１および図２に示すように、複数のＬＥＤ基板１０を有し、各ＬＥＤ基板１０は直列に接続された複数（例えば１０個以上）のＬＥＤ１１を有する。各ＬＥＤ基板１０には、トランジスタとしてのＦＥＴ（電界効果トランジスタ）１２と、電流検知抵抗１３とが実装されている。各ＬＥＤ基板１０上において、ＦＥＴ１２のドレイン端子は、直列に接続された複数のＬＥＤ１１（以下、「ＬＥＤ直列回路」とも称する）の低電位端にＬＥＤ直列回路と直列に接続され、当該ＦＥＴ１２のソース端子は電流検知抵抗１３と直列に接続されている。
【００２０】
なお、本実施形態では、ＬＥＤ直列回路の低電位端側にＦＥＴ１２が接続されているが、ＬＥＤ直列回路の高電位端側にＦＥＴ１２を接続することも可能である。この場合、ＦＥＴ１２のソース端子がＬＥＤ直列回路の高電位端側に接続される。
【００２１】
各ＬＥＤ基板１０は、そのＬＥＤ直列回路の高電位端に接続された高電位側電力供給部１４ａと、電流検知抵抗１３の低電位端に接続された低電位側電力供給部１４ｂとを有する。隣り合うＬＥＤ基板１０の高電位側電力供給部１４ａ同士は高電位側電気線１５ａにより接続されており、隣り合うＬＥＤ基板１０の低電位側電力供給部１４ｂ同士は低電位側電気線１５ｂにより接続されている。高電位側電力供給部１４ａおよび高電位側電気線１５ａによって高電位側電力供給配線が形成され、低電位側電力供給部１４ｂおよび低電位側電気線１５ｂによって低電位側電力供給配線が形成されている。
【００２２】
また、接続コード３の高電位側電力供給線３ａは、周知のコネクタや配線を介して、並設方向の一端のＬＥＤ基板１０の高電位側電力供給部１４ａに接続され、接続コード３の低電位側電力供給線３ｂも、周知のコネクタや配線を介して、並設方向の一端又は他端のＬＥＤ基板１０の低電位側電力供給部１４ｂに接続されている。
【００２３】
照明装置１は、図１および図２に示すように、１つ又は複数（本実施形態では複数）の調光基板２０を有し、各調光基板２０が複数（本実施形態では４つ）のＬＥＤ基板１０を調光するように構成されている。また、各調光基板２０に調光信号を供給する調光信号供給部３０が電力供給ユニット４０に設けられ、調光信号供給部３０は、各ＬＥＤ基板１０に供給する電流量を設定することができるように構成されている。例えば、操作者が所定の入力部に入力する情報に応じた各ＬＥＤ基板１０用の調光信号を、調光信号供給部３０が照明装置１に対して送信するように構成されている。
【００２４】
照明装置１には調光信号受信基板２２が設けられ、調光信号供給部３０からの調光信号を調光信号受信基板２２が受信する。調光信号受信基板２２は通信線を介して調光信号を各調光基板２０に送信する。各調光基板２０は調光信号受信基板２２から受信した調光信号をＤ／Ａコンバータ２１ｄを介して各オペアンプの基準電位入力部２１ｂに供給する。つまり、各調光基板２０は、調光信号供給部３０からの調光信号に基づく基準電位を各ＬＥＤ基板１０に対応したオペアンプの基準電位入力部２１ｂに供給する。
このように構成されているので、並設された複数のＬＥＤ１１の一端および他端の真下の照明位置と、並設された複数のＬＥＤ１１の中央の真下の照明位置とが、同等の光量となるような調整が可能である。また、各ＬＥＤ１１の光量に製造要因等によるばらつきがあっても、照明位置の光量のばらつきを低減する調整が可能である。
【００２５】
本実施形態では、図１に示すように、調光基板２０には定電流制御信号供給部としてのオペアンプ回路２１が２つずつ実装され、各オペアンプ回路２１は２つのオペアンプとして機能する。つまり、１つのオペアンプの出力端子２１ｃがある１つのＬＥＤ基板１０のＦＥＴ１２のゲート端子に接続され、当該オペアンプの比較電位入力部２１ａが当該ＬＥＤ基板１０におけるＦＥＴ１２のソース端子と電流検知抵抗１３との間に接続されている。他のオペアンプも他のＬＥＤ基板１０に同様に接続されている。また、各オペアンプの基準電位入力部２１ｂは調光信号受信基板２２を介して調光信号供給部３０に接続されている。
【００２６】
これにより、図１に示すように、各ＬＥＤ基板１０のＦＥＴ１２および電流検知抵抗１３と、オペアンプ回路２１のオペアンプとを有する周知の定電流回路が構成されている。この定電流回路では、ＦＥＴ１２は、接続されたＬＥＤ直列回路に高電位側電力供給線３ａからの駆動電流を流す。また、この定電流回路によって、電流検知抵抗１３の高電位側の電位がオペアンプの基準電位入力部２１ｂの電位に応じて変化するので、基準電位入力部２１ｂの電位を変化させることにより各ＬＥＤ１１に流れる電流の制御（各ＬＥＤ１１の光量調整）を行うことができる。
【００２７】
各ＬＥＤ基板１０はアルミ製の板から成り、照明装置本体２に設けられると共にＬＥＤ１１の並設方向に長手を有するヒートシンク２ａに面接触するように固定されており、各調光基板２０および調光信号受信基板２２もヒートシンク２ａに面接触するように固定されている。本実施形態では、図３に示すように、照明装置本体２が、水冷式のヒートシンク２ａが固定された下側ボディ２ｂと、下側ボディ２ｂの一対の上端に各々下端が固定されている一対の側面板２ｃと、一対の側面板２ｃの上端側を覆う上側カバー２ｄとを有する。ヒートシンク２ａは空冷式であっても良いが、水冷式の方が周囲の環境に左右されずに冷却を行うことができる。
【００２８】
ヒートシンク２ａに固定された各ＬＥＤ基板１０、各調光基板２０、および調光信号受信基板２２と、各電気線１５ａ，１５ｂは、照明装置本体２内に配置されている。
照明装置本体２は、ＬＥＤ１１の並設方向に延び、各ＬＥＤ１１からの光をＬＥＤ１１の並設方向と直交方向に集光させる円柱状レンズ４と、円柱状レンズ４を通過した後の光を拡散させる透明な拡散板５と、拡散板５を保護するための透明なガラス板６等を備えている。
【００２９】
このように、本実施形態では、各ＬＥＤ基板１０のＬＥＤ直列回路に流す駆動電流の量がＦＥＴ１２に供給される調光信号により調整される。また、照明装置本体２内に、各ＬＥＤ基板１０にそれぞれ対応するように、ＬＥＤ直列回路に電流を流すための複数のＦＥＴ１２が設けられているので、例えば照明装置１と電力供給ユニット４０とを１本の高電位側電力供給線３ａと低電位側電力供給線３ｂで接続したとしても、各ＬＥＤ基板１０のＬＥＤ直列回路に流す駆動電流の量を各ＦＥＴ１２により調整することができる。
さらに、ＬＥＤ直列回路に駆動電流を流すＦＥＴ１２が照明装置本体２に配置されており、ＬＥＤ直列回路とＦＥＴ１２とを接続する配線を短くすることができるので、各ＬＥＤ１１を積極的に点灯および消灯する際の応答速度を向上することができる。
【００３０】
また、複数の調光基板２０がそれぞれ複数のＬＥＤ基板１０に対応しており、単一の調光基板２０が全てのＬＥＤ基板１０に対応している訳ではない。この手のライン状に照明する照明装置は、照明装置の長さが数ｍになることもあるが、複数の調光基板２０がそれぞれある一定の数（数個）のＬＥＤ基板１０に対応する構成を採用することにより、調光基板２０と対応するＬＥＤ基板１０との間の配線を短くすることができ、配線をシンプルにして製造を容易にする上で極めて有利である。
さらに、調光基板２０にはＬＥＤ基板１０のように高温になる素子が含まれていないので、調光基板２０は廉価なプラスチック基板とすることが可能であり、また、ヒートシンクに面接触させない構成とすることも可能であり、コスト低減および設計の自由度の向上を図る上でも有利である。
【００３１】
また、前記複数のＬＥＤ基板１０には各々高電位側電力供給部１４ａおよび低電位側電力供給部１４ｂが設けられ、隣り合う２つのＬＥＤ基板１０の高電位側電力供給部１４ａ同士が高電位側電気線１５ａにより接続されると共に低電位側電力供給部１４ｂ同士が低電位側電気線１５ｂにより接続されている。このため、１つのＬＥＤ基板１０に高電位側電力供給線３ａと低電位側電力供給線３ｂを接続するだけで、ＦＥＴ１２により流れる各々の電流量の駆動電流を各ＬＥＤ基板１０に供給できる構成となる。
【００３２】
なお、本実施形態では、各ＬＥＤ基板１０において、ＬＥＤ１１が実装された面にＦＥＴ１２を実装したものを示したが、図４に示すように、各ＬＥＤ基板１０のＬＥＤ１１が実装されていない面、つまり、ＬＥＤ基板１０の厚さ方向においてＬＥＤ１１と反対側の面にＦＥＴ１２を実装し、ＦＥＴ１２をヒートシンク２ａに面接触するように固定することも可能である。
【００３３】
この場合、ＬＥＤ基板１０の厚さ方向一方の面は照明装置１の照明位置を臨むが、ＬＥＤ基板１０の厚さ方向他方の面がＦＥＴ１２を臨むことになる。このような構成を有するので、照明装置１が例えば鋼板の検査工程に配置され、照明対象が熱を帯びた鋼板である場合に、鋼板からの放射熱がＬＥＤ基板１０により減少され、又は遮られて、ＦＥＴ１２が鋼板からの放射熱の影響を受け難くなる。
【００３４】
なお、ＦＥＴ１２だけではなく、電流検知抵抗１３もＦＥＴ１２と同様にＬＥＤ基板１０の厚さ方向他方の面に実装することも可能である。
また、ＦＥＴ１２および／又は電流検知抵抗１３をＬＥＤ基板１０とは別の基板に実装し、当該基板を照明装置本体２内に配置することも可能である。例えば、当該基板をヒートシンク２ａに面接触するように固定することが可能である。この場合に、当該基板をＬＥＤ基板１０の厚さ方向他方の面が臨む方向に配置することも可能である。
【００３５】
なお、上記の第１実施形態および下記の第２実施形態において、ＦＥＴ１２の代わりにコレクタ端子、エミッタ端子、およびベース端子を有するトランジスタを用いることも可能である。この場合、コレクタ端子がＦＥＴ１２のドレイン端子に対応し、エミッタ端子がＦＥＴ１２のソース端子に対応し、ベース端子がＦＥＴ１２のゲート端子に対応する。この場合でも前述と同様の作用効果を奏する。
また、接続コード３内に２本以上の高電位側電力供給線３ａと２本以上の低電位側電力供給線３ａを設け、これら電力供給線によって各ＬＥＤ基板１０に電力を供給してもよい。
【００３６】
本実施形態では、複数のＬＥＤ１１が直線状に並ぶものを示したが、複数のＬＥＤ１１が円弧線に沿った方向に並ぶものであってもよい。この場合、各ＬＥＤ基板１０は円弧線に沿った方向に並び、照明位置は円形となる。
また、本実施形態では、調光基板２０が照明装置１側に設けられたものを示したが、調光基板２０を電力供給ユニット４０内に設けることも可能である。この場合でも前述と同様の作用効果を奏する。
【００３７】
本発明の第２実施形態に係るＬＥＤ照明システムについて図面を参照して以下に説明する。第１実施形態と同様の構成については同一の符号を付し、その説明を省略する。
本発明の第２実施形態のＬＥＤ照明システムは、第１実施形態のＬＥＤ照明システムに対して照明装置１を照明装置５０に置き換えたものである。
【００３８】
照明装置５０は、図５に示すように、複数のＬＥＤ基板１０を有し、各ＬＥＤ基板１０は直列に接続された複数（例えば１０個以上）のＬＥＤ１１を有する。図５の各ＬＥＤ基板１０は簡略的に書かれたものであり、ＦＥＴ１２等が記載されていないが、図６に示すように、各ＬＥＤ基板１０の構成は第１実際形態と同様である。
また、照明装置５０は、図６に示すように、第１実施形態と同様に接続コード３を介して電力供給ユニット４０に接続されており、調光信号供給部３０の調光信号が照明装置５０に対して送信されるように構成されている。
【００３９】
第１実施形態と同様に、各ＬＥＤ基板１０は照明装置５０の照明装置本体５１に設けられたヒートシンクに面接触するように固定されており、各調光基板２０および調光信号受信基板２２もヒートシンクに面接触するように固定されている。照明装置本体５１に各ＬＥＤ基板１０を覆うように配置された拡散板（図示せず）や拡散板を保護するための透明なカバー（図示せず）を設けることも可能である。
【００４０】
本実施形態の場合でも、各ＬＥＤ基板１０のＬＥＤ直列回路に流す駆動電流の量がＦＥＴ１２に供給される調光信号により調整される。また、照明装置本体５１内に、各ＬＥＤ基板１０にそれぞれ対応するように、ＬＥＤ直列回路に電流を流すための複数のＦＥＴ１２が設けられているので、例えば照明装置５０と電力供給ユニット４０とを１本の高電位側電力供給線３ａと低電位側電力供給線３ｂで接続したとしても、各ＬＥＤ基板１０のＬＥＤ直列回路に流す駆動電流の量を各ＦＥＴ１２により調整することができる。
さらに、ＬＥＤ直列回路に駆動電流を流すＦＥＴ１２が照明装置本体５１に配置されており、ＬＥＤ直列回路とＦＥＴ１２とを接続する配線を短くすることができるので、各ＬＥＤ１１を積極的に点灯および消灯する際の応答速度を向上することができる。
【００４１】
また、複数の調光基板２０がそれぞれ複数のＬＥＤ基板１０に対応しており、単一の調光基板２０が全てのＬＥＤ基板１０に対応している訳ではない。この手の面照明装置は、照明装置の１辺が数十ｃｍ〜数ｍになることもあるが、複数の調光基板２０がそれぞれある一定の数（数個）のＬＥＤ基板１０に対応する構成を採用することにより、調光基板２０と対応するＬＥＤ基板１０との間の配線を短くすることができ、配線をシンプルにして製造を容易にする上で極めて有利である。
さらに、調光基板２０にはＬＥＤ基板１０のように高温になる素子が含まれていないので、調光基板２０は廉価なプラスチック基板とすることが可能であり、また、ヒートシンクに面接触させない構成とすることも可能であり、コスト低減および設計の自由度の向上を図る上でも有利である。
【００４２】
なお、第１実施形態と同様に、各ＬＥＤ基板１０のＬＥＤ１１が実装されていない面、つまり、ＬＥＤ基板１０の厚さ方向においてＬＥＤ１１と反対側の面にＦＥＴ１２を実装し、ＦＥＴ１２をヒートシンクに面接触するように固定することも可能である。ＦＥＴ１２だけではなく、電流検知抵抗１３もＦＥＴ１２と同様にＬＥＤ基板１０の厚さ方向他方の面に実装することも可能である。
また、ＦＥＴ１２および／又は電流検知抵抗１３をＬＥＤ基板１０とは別の基板に実装し、当該基板を照明装置本体５１内に配置することも可能である。例えば、当該基板をヒートシンクに面接触するように固定することが可能である。この場合に、当該基板をＬＥＤ基板１０の厚さ方向他方の面が臨む方向に配置することも可能である。
【００４３】
第１および第２実施形態において、図７に示すように、ＬＥＤ基板６０上に例えば３６個のＬＥＤ１１が一直線状ではなく複数列に配置されていても良い。この場合でも、例えばＬＥＤ１１が１２個ずつ直列に接続されていれば、１つのＬＥＤ基板６０上に３つのＬＥＤ直列回路が構成され、前述と同様の作用効果を奏することが可能である。
【００４４】
また、図８に示すように、オペアンプ機能を有するオペアンプ回路２１の代わりに、ＦＥＴ１２のソース端子と電流検知抵抗１３との間の電位が入力される入力部６１ａと、調光信号受信基板２２からの調光信号が入力される調光信号入力部６１ｂと、入力部６１ａに入力される電位と調光信号入力部６１ｂに入力される調光信号とに基づく定電流制御信号をＦＥＴ１２のゲート端子に出力する出力部６１ｃとを備えた定電流制御信号供給回路６１を用いることも可能である。この場合、定電流制御信号供給回路６１内にマイクロコンピュータを設け、マイクロコンピュータによって定電流制御信号を生成しても良い。
【００４５】
なお、照明装置本体２，５１に照明装置１，５０の配線、制御用基板、制御用コンピュータ、その他照明装置１，５０を作動させるための機器を収納する収納部が付属する場合、当該収容部も照明装置本体２，５１の一部である。
【００４６】
例えば、図９および図１０に示すように、図７に示したＬＥＤ基板６０を複数有し、また、各ＬＥＤ基板６０が面接触しているヒートシンク７２と、ヒートシンク７２を収容する照明装置本体７１とを有する照明装置７０において、調光基板２０、調光信号受信基板２２、その他の配線、制御用基板、制御用コンピュータ等が収納された収納部７１ａが照明装置本体７１に付属している場合、当該収容部７１ａも照明装置本体７１の一部であるものとする。つまり、この場合でも、調光基板２０、調光信号受信基板２２等は照明装置本体７１内に配置されていることになる。
【００４７】
図９および図１０の場合、ヒートシンク７２は、各ＬＥＤ基板６０に面接触している金属製の板状部材７２ａと、板状部材７２ａに接触し、内部に水冷機構（図示せず）を有する水冷機構収納部７２ｂとを有する。板状部材７２ａのＬＥＤ基板６０に接触する面には配線用の複数の溝７２ｃが形成されている。なお、各ＬＥＤ基板６０に厚さ方向に貫通する貫通孔を設け、当該貫通孔を配線用に用いることも可能である。
【００４８】
さらに、図１１に示すように、収容部７１ａを照明装置本体７１の背面側（ＬＥＤ１１の照射方向と反対側）に付属させることも可能である。この場合、配線用の貫通孔７２ｄが照明装置本体１１をその厚さ方向に貫通するように複数設けられる。
【００４９】
図９〜図１１のように、ＬＥＤ１１が二次元的に並ぶ場合、１つの照明装置内に構成される定電流回路の量が劇的に増える傾向がある。また、発熱するＬＥＤ１１が密集して配置される傾向があるので、ＬＥＤ基板６０の背面の広い面積をヒートシンク７２に接触させることが必要となってくる。本実施形態では、発熱の小さいオペアンプ回路２１が実装された調光基板２０を収容部７１ａ内に配置することができるので、ＬＥＤ基板６０の周りの設計の自由度が増す。また、複数の調光基板２０がそれぞれ複数個のＬＥＤ直列回路の調光を制御するように構成されているので、配線の量を低減することができ、製造の容易化や製造コストの低減を図る上で有利である。
【符号の説明】
【００５０】
１…照明装置、２…照明装置本体、３…接続コード、３ａ…高電位側電力供給線、３ｂ…低電位側電力供給線、１０…ＬＥＤ基板、１１…ＬＥＤ、１２…ＦＥＴ、１３…電流検知抵抗、１４ａ…高電位側電力供給部、１４ｂ…低電位側電力供給部、１５ａ…高電位側電気線、１５ｂ…低電位側電気線、２０…調光基板、２１…オペアンプ回路、３０…調光信号供給部、４０…電力供給ユニット
【図１】
2018045824.tif 000003
【図２】
2018045824.tif 000004
【図３】
2018045824.tif 000005
【図４】
2018045824.tif 000006
【図５】
2018045824.tif 000007
【図６】
2018045824.tif 000008
【図７】
2018045824.tif 000009
【図８】
2018045824.tif 000010
【図９】
2018045824.tif 000011
【図１０】
2018045824.tif 000012
【図１１】
2018045824.tif 000013
【図１２】
2018045824.tif 000014